(57)【要約】【課題】拭取ロールを回転駆動する拭取ロール回転装置からの微塵発生を解消する。【解決手段】搬送される基材１１に接触回転して基材表面の塵埃を拭き取る粘着周面１２を有する拭取ロール１３と、その拭取ロール１３を回転駆動する駆動ロール１４を具備する基材表面ゴミ取り装置において、拭取ロールの回転軸１５に被動ロール１６を軸支し、駆動ロールに非接触状態に向かい合わせにし、それら被動ロールと駆動ロールの間の距離を一定に保つ。被動ロールと駆動ロールそれぞれの周面に回転方向に沿って複数個の磁性体１７・１８をそれぞれ付設する。被動ロールと駆動ロールの間に作用する磁性体１７・１８の磁力によって被動ロールを駆動ロールの回転に合わせて伴回りさせて拭取ロール１３を回転駆動する。被動ロールと駆動ロールが非接触状態にあるので、それらの間で摩耗による微粉が生じることはない。【選択図】図１
2009000616.tif 000002
【特許請求の範囲】
【請求項１】
（ａ）  搬送される平板な基材（１１）の平面に接して回転駆動されて基材（１１）の平面に付着している塵埃を粘着させて拭き取る粘着周面（１２）を有する拭取ロール（１３）と、
（ｂ）  拭取ロール（１３）の粘着周面（１２）に接触して粘着周面（１２）に粘着している塵埃を拭き取る清掃パッド（２１）と、
（ｃ）  基材平面（１１）と清掃パッド（２１）の間で拭取ロールを往復移動させる拭取ロール移動装置（２２）と、
（ｄ）  拭取ロール移動装置（２２）に駆動されて基材平面（１１）から離れて清掃パッド（２１）に接触する部位において拭取ロール（１３）を回転駆動する駆動ロール（１４）とを具備し、
（ｅ）  拭取ロールの回転軸（１５）に円柱形の被動ロール（１６）が軸支されており、
（ｆ）  被動ロール（１６）と駆動ロール（１４）のそれぞれが、ロールの回転方向に沿って配置された複数個の磁性体（１７・１８）を有し、
（ｇ）  拭取ロール移動装置（２２）に駆動されて基材平面（１１）から離れて清掃パッド（２１）に接触する部位において、被動ロールの被動周面（１９）と駆動ロールの駆動周面（２０）が向い合せになっており、
（ｈ）  被動ロールの磁性体（１７）と駆動ロールの磁性体（１８）の間に、被動ロールの被動周面（１９）と駆動ロールの駆動周面（２０）を引き寄せる磁場が形成されており、
（ｉ）  その引き寄せ磁場の作用する被動周面（１９）と駆動周面（２０）の間に隙間があって周面間（１９・２０）が非接触状態にある基材表面ゴミ取り装置。
【請求項２】
被動ロール（１６）と駆動ロール（１４）の一方または双方の磁性体（１７・１８）が永久磁石である前掲請求項１に記載の基材表面ゴミ取り装置。
【請求項３】
拭取ロール（１３）の回転軸（１５）に平行に清掃パッド（２１）を往復移動させる清掃パッド移動装置を具備する前掲請求項１と２の何れかに記載の基材表面ゴミ取り装置。
【発明の詳細な説明】
【技術分野】
【０００１】
本発明は、搬送される平板な基材の平面に接して回転駆動されて基材の平面に付着している塵埃を粘着させて拭き取る粘着周面を有する拭取ロールと、その拭取ロールを駆動する駆動ロールを具備する基材表面ゴミ取り装置に関するものである。
【背景技術】
【０００２】
基材表面ゴミ取り装置に清掃パッドを付設し、基材平面から拭き取られて拭取ロールの粘着周面に粘着している塵埃を清掃パッドによって拭き取って粘着周面を無塵状態に保つことは公知である（例えば、特許文献１、２、３参照）。清掃パッドを具備する基材表面ゴミ取り装置には拭取ロール移動装置と粘着周面に粘着している塵埃を感知する塵埃感知センサーを付設し、粘着周面に粘着している塵埃が所定量に達したことを塵埃感知センサーが感知して拭取ロール移動装置を起動させ、基材平面から清掃パッドへと拭取ロールを移動させることも公知である（例えば、特許文献４参照）。
【０００３】
基材表面ゴミ取り装置には清掃パッド駆動装置を付設し、拭取ロールの回転軸に平行に清掃パッドを往復移動させて、拭取ロールの粘着周面に粘着している塵埃を清掃パッドによって拭き取って粘着周面を無塵状態に保つことも公知である（例えば、特許文献１、２、３、４参照）。
【０００４】
清掃パッドは、その粘着周面との接触面を変えて絶えず無塵状態に保つために、ロール状に巻き取って保持されている。清掃パッドには、粘着周面からの塵埃の離脱を促す洗浄液が付与される。
【０００５】
基材表面ゴミ取り装置には、複数本の拭取ロールを設け、それらを交互に清掃パッドへと移動して清掃し、その清掃時には他の拭取ロールが基材平面に接して塵埃除去作用を営むようにすることも公知である（例えば、特許文献１、２、５参照）。
【０００６】
【特許文献１】特開平０８−１８７４５７号公報（特許第２６８７１１８号）
【特許文献２】特開平０８−２８１１７８号公報（特許第３１６０７９５号）
【特許文献３】特開平０２−２２７１７７号公報（特公平０５−７９３９５号）
【特許文献４】特開平０８−０４７６７４号公報（特許第３００７０５号）
【特許文献５】特開平０１−２５８９１号公報（特公平０６−４７２８４号）
【発明の開示】
【発明が解決しようとする課題】
【０００７】
基材表面ゴミ取り装置は、搬送される平板な基材の平面に接して回転駆動されて基材の平面に付着している塵埃を粘着させて拭き取るために使用されるものであるから、基材表面ゴミ取り装置それ自体が塵埃を発生するものであってはならない。
【０００８】
拭取ロールは、粘着周面を有するので、搬送される基材の平面に接して回転駆動されることになり、その基材に付着している塵埃を拭き取る過程では、拭取ロールを回転駆動する駆動ロールは必要とされない。しかし、清掃パッド駆動装置を具備する基材表面ゴミ取り装置では、その清掃パッド駆動装置が拭取ロール移動装置に駆動されて基材平面から引き離された拭取ロールを清掃するものであるから、清掃時に拭取ロールを回転駆動する拭取ロール回転装置を必要とする。
【０００９】
その清掃時に拭取ロールを回転駆動する拭取ロール回転装置における伝動機構は、摩擦車を使用した摩擦伝動、プリーベルトや鎖車を使用した巻掛け伝動、歯車伝動等で構成されており、その原動体と被動体の間で摩擦を伴う構造になっている。
そのため、その触れ合う原動体や被動体が摩耗して少なからず発生する微塵が、基材表面ゴミ取り装置の機能を損なうとの知見を得た。
【００１０】
そこで本発明は、清掃時に基材平面から引き離された拭取ロールを回転駆動する拭取ロール回転装置からの微塵の発生を回避することを目的とする。
【課題を解決するための手段】
【００１１】
本発明に係る基材表面ゴミ取り装置は、（ａ）  搬送される平板な基材１１の平面に接して回転駆動されて基材１１の平面に付着している塵埃を粘着させて拭き取る粘着周面１２を有する拭取ロール１３と、（ｂ）  拭取ロール１３の粘着周面１２に接触して粘着周面１２に粘着している塵埃を拭き取る清掃パッド２１と、（ｃ）  基材平面１１と清掃パッド２１の間で拭取ロールを往復移動させる拭取ロール移動装置２２と、（ｄ）  拭取ロール移動装置２２に駆動されて基材平面１１から離れて清掃パッド２１に接触する部位において拭取ロール１３を回転駆動する駆動ロール１４とを具備し、（ｅ）  拭取ロールの回転軸１５に円柱形の被動ロール１６が軸支されており、（ｆ）  被動ロール１６と駆動ロール１４のそれぞれが、ロールの回転方向に沿って配置された複数個の磁性体１７・１８を有し、（ｇ）  拭取ロール移動装置２２に駆動されて基材平面１１から離れて清掃パッド２１に接触する部位において、被動ロールの被動周面１９と駆動ロールの駆動周面２０が向い合せになっており、（ｈ）  被動ロールの磁性体１７と駆動ロールの磁性体１８の間に、被動ロールの被動周面１９と駆動ロールの駆動周面２０を引き寄せる磁場が形成されており、（ｉ）  その引き寄せ磁場の作用する被動周面１９と駆動周面２０の間に隙間があって周面間１９・２０が非接触状態にあることを第１の特徴とする。
【００１２】
本発明に係る基材表面ゴミ取り装置の第２の特徴は、上記第１の特徴に加えて、被動ロール１６と駆動ロール１４の一方または双方の磁性体（１７・１８）が永久磁石である点にある。
【００１３】
本発明に係る基材表面ゴミ取り装置の第３の特徴は、上記第１および第２の何れかの特徴に加えて、拭取ロール１３の回転軸１５に平行に清掃パッド２１を往復移動させる清掃パッド移動装置を具備する点にある。
【発明の効果】
【００１４】
駆動ロール１４が回転し、駆動周面２０の磁性体１８が回転移動するとき、その磁性体１８に向き合う被動ロールの磁性体１７は、駆動ロール１４の磁性体１８に引き寄せられて回転移動する。駆動ロール１４と共に磁性体１８が更に回転移動して、その向き合っていた被動ロールの磁性体１７から遠ざかると、駆動ロール１４の回転方向に沿って配置されており、その遠ざかる磁性体１８に隣り合う別の磁性体１８が、その遠ざかった被動ロールの磁性体１７に向き合い、その別の磁性体１８に引き寄せられて被動ロールの磁性体１７が回転移動する。
【００１５】
こうして、駆動ロール１４の回転方向に沿って隣り合って配置されている駆動周面２０の複数個の磁性体１８・１８・１８………が、順次入れ替わって被動周面１９に隣り合って配置されている複数個の磁性体１７・１７・１７………を順次引き寄せて回転を促す結果、被動ロール１６と一体を成す拭取ロール１３が駆動ロール１４によって回転駆動されることになる。
【００１６】
その被動周面１９と駆動周面２０の間に隙間があって周面間１９・２０が非接触状態に保たれていても、被動ロールの被動周面１９と駆動ロールの駆動周面２０の間には、被動ロールの磁性体１７と駆動ロールの磁性体１８によって互いに引き寄せる磁場が作用しているので、その非接触状態は、駆動ロール１４による拭取ロール１３の回転駆動の妨げにならない。
【００１７】
その回転駆動時に、被動周面１９と駆動周面２０の間が非接触状態に保たれるので、被動周面１９と駆動周面２０が摩耗することはなく、拭取ロール１３を回転駆動する拭取ロール回転装置から微塵が発生することはない。
【００１８】
従って、本発明によると、微塵の発生がなく、搬送される基材１１に付着している塵埃の拭き取りに有効な基材表面ゴミ取り装置が得られる。
【００１９】
そして、被動ロール１６と駆動ロール１４の間の伝動機構が、摩擦車による摩擦伝動、プリーベルト等による巻掛け伝動、歯車伝動等と異なり、非接触状態における磁力伝動であり、被動ロール１６と駆動ロール１４の間が非接触状態にあるが故に、拭取ロール１３が清掃パッド２１から受ける抵抗の度合いの変化に応じてそれらのロールの回転には位相差が生じ、又、回転速度にバラツキが生じるとしても、拭取ロールから清掃パッドによって塵埃を拭き取るうえでは何ら支障をきたさず、基材表面ゴミ取り装置の機能が損なわれることはない。
【００２０】
被動ロール１６と駆動ロール１４の磁性体１７・１８は、その一方が他方を引き寄せる関係にあればよく、その双方が互いに他方を引き寄せる関係にすること、即ち、駆動ロール１４の磁性体１８をＳ極とする場合には被動ロール１６の磁性体１７をＮ極とし、駆動ロール１４の磁性体１８をＮ極とする場合には被動ロール１６の磁性体１７をＳ極とすることは必ずしも必要とされない。従って、駆動ロール１４の磁性体１８だけを電磁石か永久磁石とすることが出来る。しかし、被動ロール１６と駆動ロール１４の一方または双方の磁性体（１７・１８）を永久磁石とするときは、基材表面ゴミ取り装置の構造が簡素化されて取り扱い易くなる。
【００２１】
その双方の磁性体１７・１８を永久磁石とし、その駆動ロール１４の磁性体１８をＳ極とする場合には被動ロール１６の磁性体１７をＮ極とし、駆動ロール１４の磁性体１８をＮ極とする場合は、被動ロールの磁性体１７と駆動ロールの磁性体１８の間に互いに引き寄せ合う強い磁場が形成されるので、駆動ロール１４による強い回転トルクが得られ、拭取ロール１３を高速回転することが出来る。
【００２２】
そして本発明では、清掃パッド２１の幅を狭くし、拭取ロール１３の回転軸１５に平行に清掃パッド２１を往復移動させることとしたので、拭取ロール１３が清掃パッド２１から受ける抵抗が少なく、拭取ロールを高速回転して効率的に清掃することが出来る。
【発明を実施するための最良の形態】
【００２３】
被動ロールの被動周面１９と駆動ロールの駆動周面２０のそれぞれの回転方向に沿って配置される複数個の各磁性体１７（１８）と磁性体１７（１８）の間には所要の非磁性体によるスペース２４を設け、それらの回転方向に沿って配置される磁性体１７・１７（１８・１８）が触れ合わないようにする。
駆動ロール１４の磁性体１８と被動ロール１６の磁性体１７の一方を永久磁石とする場合には、その永久磁石の磁力線を向き合う他方の磁性体（１７・１８）に向けるためのヨークが適宜装着される。
【００２４】
拭取ロール移動装置２２に駆動されて移動する拭取ロール１３の粘着周面１２が基材１１に触れ合う部位や清掃パッド２１に触れ合う部位には、それらの部位で拭取ロール１３の移動を止めるストッパーを設ける。
駆動ロール１４は、その基材１１、或いは、清掃パッド２１に触れ合って停止した拭取ロール１３の被動ロール１６に向かい合わせに設ける。
被動ロールの被動周面１９と駆動ロールの駆動周面２０の間は、それらが触れ合わない限りにおいて極く接近させ、両者間に磁力の強い磁場を発生させる。
【００２５】
被動ロールの被動周面１９を拭取ロール１３の粘着周面１２に隣り合わせにし、或いは、被動ロール１６と拭取ロール１３を同じ母体ロールによって構成する等、被動ロール１６を拭取ロール１３と一体に構成することも出来、拭取ロール１３とは別に被動ロール１６を拭取ロール１３の回転軸１５に直接軸支させる必要はない。
【００２６】
清掃パッド２１は巻取式にし、順次繰り出してクリーンな新しい部分が拭取ロールに触れるようにし、蒸発性の洗浄液を付与して濡らせて拭取ロールの粘着周面１２の塵埃を拭き取り易くし、拭取ロールの拭取・清掃を効率的に行う。
基材平面１１と清掃パッド２１の間で拭取ロールを往復移動させる拭取ロール移動装置２２、および、拭取ロール１３の回転軸１５に平行に清掃パッド２１を往復移動させる清掃パッド移動装置については、前記の特許文献１、２、３、４、５等に開示されている従来技術を適用することが出来る。
【図面の簡単な説明】
【００２７】
【図１】本発明に係る基材表面ゴミ取り装置の要部斜視図である。
【図２】本発明に係る基材表面ゴミ取り装置の要部斜視図である。
【符号の説明】
【００２８】
１１：基材（平面）
１２：粘着周面
１３：拭取ロール
１４：駆動ロール
１５：回転軸
１６：被動ロール
１７：磁性体
１８：磁性体
１９：被動周面
２０：駆動周面
２１：清掃パッド
２２：拭取ロール移動装置
２４：スペース
【図１】
2009000616.tif 000003
【図２】
2009000616.tif 000004